(57)【要約】  【課題】手袋を袖に可動的結合し、服を着ると共に手袋のはめ脱ぎが完了できる袖の改良構造を提供すること。【解決手段】主に、衣服の袖口部に収納空間を設け、前記収納空間内に結合構造が設けられ、前記収納空間の端部に手袋が結合され、前記手袋の手の甲の対応部に対応の結合構造が設けられた。これによって、アームで袖に入れた後とともに、手袋にはめる動作も完成できた。手袋をはめない時に、手袋を折曲し袖口部の収納空間内に入れ置き、両結合構造の相互結合で、手袋を使用した後にも安定に収納でき、勝手放置や遺失することはないことを含む袖の改良構造を提供する。【選択図】図１
0003112028.tif 000002
【実用新案登録請求の範囲】
【請求項１】
衣服の袖口部に収納空間を設け、
前記収納空間内に結合構造を設け、
前記収納空間の端部に手袋を結合し、
前記手袋の手の甲の対応部に対応の結合構造を設けたことによって、
腕を袖に入れると共に、手袋をはめる動作も完成し、
手袋をはめない時に、手袋を折曲し袖口部の収納空間内に入れ置き、両結合構造の相互結合で、手袋を使用した後に安定して収納でき、勝手放置や遺失することがないことを特徴とする、
袖の改良構造。
【請求項２】
前記袖は内外二層の袖口を設け、
前記内層の袖口は風が入らないように設けた絞り口であることを特徴とする、
請求項１記載の袖の改良構造。
【請求項３】
前記収納空間内部に設ける結合構造と手袋の手の甲に設ける対応の結合構造とは、貼付バンドであることを特徴とする、
請求項１記載の袖の改良構造。
【請求項４】
前記収納空間端部に結合する手袋は、その両者の結合方式が、ファスナやボタン（係止孔）或は貼付バンド（面ファスナ）等いずれか一つの結合方式であることを特徴とする、
請求項１記載の袖の改良構造。
【請求項５】
前記袖外側の収納空間の範囲内に、手袋を中に置くように収納空間の外側片層を開ける切り込みを設けたことを特徴とする、
請求項１記載の袖の改良構造。
【請求項６】
前記切り込みの対向側に、容易に開閉するようなファスナを設けたことを特徴とする、
請求項５記載の袖の改良構造。
【請求項７】
前記切り込みの対向側に、相互に対応するボタンと係止孔とを設けたことを特徴とする、
請求項５記載の袖の改良構造。
【請求項８】
前記切り込みの上下縁部に相互に接着するための貼付バンドを設けたことを特徴とする、
請求項５記載の袖の改良構造。
【考案の詳細な説明】
【技術分野】
【０００１】
本考案は、手袋の使用及び収納を容易にするための袖の改良構造に関し、様々の袖を有する衣服や類似する構造に適合するものである。
【背景技術】
【０００２】
気温急低下の冬では、人々が寒さに抵抗するために、一般に、オーバーや上着或はジャケット等の防寒衣類を着ることで、体に寒さを感じないようにする。
しかし、前記様々の衣服は体及びアームのみに着るもので、該袖は長袖であるが手腕までにしか届いていない、手腕以外の掌は外に露出しているため、寒風の襲撃を直接受ける。
【０００３】
掌が寒風の襲撃を受ける欠点を改善するために、手袋構造がこのような事情に伴い生じるようになり、外出の際に防寒衣類を着て手袋をはめることで、体に低温襲撃を受けないようにする。
しかし、室内に入ってから、室温で暖かいため、室内に入った人が上着や手袋或は帽子等を脱ぎはじめる。
上着及び帽子は面積が大きく且つ単一であるため、勝手放置或は遺失が容易ではないが、手袋の面積が小さく且つ二つであるため、収納後に勝手放置し易いため、使用する際に捜し難く、極めて遺失し易くなる点が最も大きな欠点である。
【０００４】
このため、本考案の考案者は、上記の欠点に鑑み、手袋の使用及び収納が共に便利である袖の改良構造を提供することを図るため、研究に専念し並びに設計組立の運用に合わせ、普通消費者の使用に供える本考案が、その創作しようとする動機である。
【考案の開示】
【考案が解決しようとする課題】
【０００５】
本考案は、手袋を袖に可動的結合し、服を着ると共に手袋のはめ脱ぎが完了できる袖の改良構造を提供することを主な目的とする。
【０００６】
本考案は、手袋が固定収納位置を有し、使用しようとする際にあちらこちらで捜す必要はない袖の改良構造を提供することをもう一つの目的とする。
【０００７】
本考案は、使用完了の手袋を安定に収納できる袖の改良構造を提供することをさらにもう一つの目的とする。
【課題を解決するための手段】
【０００８】
上記したような課題を解決するために、本考案の第１考案は、衣服の袖口部に収納空間を設け、前記収納空間内に結合構造を設け、前記収納空間の端部に手袋を結合し、前記手袋の手の甲の対応部に対応の結合構造を設けたことによって、腕を袖に入れると共に、手袋をはめる動作も完成し、手袋をはめない時に、手袋を折曲し袖口部の収納空間内に入れ置き、両結合構造の相互結合で、手袋を使用した後に安定して収納でき、勝手放置や遺失することがないことを特徴とする、袖の改良構造である。
【０００９】
本考案の第２考案は、前記袖は内外二層の袖口を設け、前記内層の袖口は風が入らないように設けた絞り口であることを特徴とする、請求項１記載の袖の改良構造である。
【００１０】
本考案の第３考案は、前記収納空間内部に設ける結合構造と手袋の手の甲に設ける対応の結合構造とは、貼付バンドであることを特徴とする、第１考案記載の袖の改良構造である。
【００１１】
本考案の第４考案は、前記収納空間端部に結合する手袋は、その両者の結合方式が、ファスナやボタン（係止孔）或は貼付バンド（面ファスナ）等いずれか一つの結合方式であることを特徴とする、第１考案記載の袖の改良構造である。
【００１２】
本考案の第５考案は、前記袖外側の収納空間の範囲内に、手袋を中に置くように収納空間の外側片層を開ける切り込みを設けたことを特徴とする、請求項１記載の袖の改良構造である。
【００１３】
本考案の第６考案は、前記切り込みの対向側に、容易に開閉するようなファスナを設けたことを特徴とする、第５考案記載の袖の改良構造である。
【００１４】
本考案の第７考案は、前記切り込みの対向側に、相互に対応するボタンと係止孔とを設けたことを特徴とする、第５考案記載の袖の改良構造である。
【００１５】
本考案の第８考案は、前記切り込みの上下縁部に相互に接着するための貼付バンドを設けたことを特徴とする、第５考案記載の袖の改良構造である。
【００１６】
上述の目的を達する為に、本考案は、衣服の袖口部に収納空間を設け、前記収納空間内に結合構造が設けられ、前記収納空間の端部に手袋が結合され、前記手袋の手の甲の対応部に対応の結合構造が設けられ、よって、アームで袖に入れた後とともに、手袋にはめる動作も完成でき、手袋をはめない時に、手袋を折曲し袖口部の収納空間内に入れ置き、両結合構造の相互結合で、手袋を使用した後にも安定に収納でき、勝手放置や遺失することはない。
【００１７】
本考案のその他の特徴及び具体の実施例は、添付図面を参照しながらの詳しい説明のうちから容易に明瞭にできる。
【考案の効果】
【００１８】
以上のように、本考案の構造は以下のような実用上の利点を有する。
１．手袋を袖内に直接結合し、衣服を着るとともに手袋の嵌めを完了させ、極めて便利である。
２．手袋を使用しない時に、手袋を衣服の収納袋内に直接収納でき、手袋が固定の収納空間及び位置を有し、脱いだ手袋が勝手に置かれることはなく、もう一度使用しようとする際に、あちらこちらで捜す必要はない。
３．結合部の結合あるいは分離により、例えば、手袋だけが汚くなる時に、容易に手袋と衣服を分離し、直接に手袋を洗濯でき、衣服と一緒に洗う必要はない。
４.冬に手の防寒用だけでなく、夏に手が日差しで日焼けすることも防止できる。
【考案を実施するための最良の形態】
【００１９】
図１、図２を参照すると、本考案の主な改良構造は、袖１０にあり、該袖１０は二層の袖口を設け、該内層の袖口は絞り口１１のように設けられ、該外層袖口の周縁の適合部には、内部に収納空間を有する収納袋１２が設けられ、該収納袋１２の先端部底縁に結合部１３が設けられる。
該結合部１３がファスナやボタン或は貼付バンド等の結合効果を有する構造でよいとともに、該収納袋１２内に貼付バンド１４が設けられる。
【００２０】
手袋２０の手の甲の底縁に結合部２１が設けられ、該結合部２１は前記収納袋１２の結合部１３に対応して設ける結合効果を有する構造である。
また、手袋２０の手の甲に複数の貼付バンド２２が設けられ、該手袋２０は人差し指の下縁部に調整片２３を設けることで、掌をはめ易くするように手袋２０のはめ口を大きくし、且つ、調整片２３の対向側に、弛み締りを調整できるように手の甲の貼付バンド２２に接着できる貼付バンド２４が設けられる。
【００２１】
寒い時に、手袋２０の結合部２１より袖収納袋１２の結合部１３に結合し、手袋２０と袖１０を一体に結合させ、掌で袖１０に入れるときに、掌が手袋２０内に直接挿入でき、並びに調整片２３より手袋２０の弛み締りを調整し、風を袖内に入らないように絞り口１１で手腕に嵌め付け、服を着ると共に手袋のはめ動作を完了する。
室内に入った後に、手袋２０を脱ぎ並びにそれを折曲し収納袋１２内に入れ置き、手袋２０の手の甲の上の貼付バンド２２と収納袋１２の貼付バンド１４との相互結合より、手袋２０を収納袋１２内に安定に収納する。
【００２２】
図３と図４を参照すると、該袖１０は収納袋１２の範囲内の外側に切り込みを入れ、かつ、該切り込みの開口部にファスナ１５が設けられ、ファスナ１５の開閉で該収納袋１２の外側の片層を開閉し、手袋２０の手の甲に設ける貼付バンド２２と収納袋１２内に設ける貼付バンド１４とを相互結合或は分離させる。
また、図５を参照すると、該切り込みの開口部に設けるファスナ１５はボタン１６や係止孔１７に替わっても良い。
切り込みの開口部の対向側にボタン１６や係止孔１７を夫々設け、係止孔１７内に嵌め或はボタン１６を分離させることで、収納袋１２を開閉する。
また、図６に示すように、該切り込みの開口部に相互結合できる貼付バンド１８が設けられ、同様に収納袋１２を開閉し、両貼付バンド１４、２２の分離或は結合をし易くなり、容易に手袋２０を取出して使用し或は手袋２０を収納できる。
【００２３】
手袋２０は、結合部２１と収納袋１２端部の結合部１３より分離でき、手袋２０の洗濯を便利にさせ、奇麗に洗った後に場合によって該手袋２０を単独で使用するか、袖１０内に結合するかを決める。
また、本考案は、冬の厚く重い上着上のみに作ることに限らない、薄い上着或は長袖シャツ上にも適応でき、夏の日差し強い時に、強い日差しの下で仕事しなければならないオートバイ乗り或は日差しで日焼けするのを恐れる女性の外出に用いる。
【００２４】
しかし、以上のようなものは、単に本考案の実施可能な実施例に過ぎなく、本考案の主張範囲を局限するものではなく、当該技術に習熟した者による簡単な同等の変更や修飾などが、本考案の主張範囲内に納入されるべきである。
【００２５】
以上の詳しい説明によって、本考案は確かに前記目的を達成でき、手袋が可動的に結合し、且つ該手袋の使用及び収納を容易にするための袖の改良構造を提供し、実用価値を有することが言うまでもなく、法に従って実用新案出願を提起する。
【図面の簡単な説明】
【００２６】
【図１】本考案の第一実施例を示す斜視外観図である。
【図２】本考案の第一実施例の使用状態を示す図である。
【図３】本考案の第二実施例の動作を示す図である。
【図４】本考案の第二実施例の動作を示す図である。
【図５】本考案の第三実施例の動作を示す図である。
【図６】本考案の第四実施例の動作を示す図である。
【符号の説明】
【００２７】
１０袖
１１絞り口
１２収納袋
１３結合部
１４貼付バンド
１５ファスナ
１６ボタン
１７係止孔
１８貼付バンド
２０手袋
２１結合部
２２貼付バンド
２３調整片
２４貼付バンド
【図１】
0003112028.tif 000003
【図２】
0003112028.tif 000004
【図３】
0003112028.tif 000005
【図４】
0003112028.tif 000006
【図５】
0003112028.tif 000007
【図６】
0003112028.tif 000008